(57)【要約】【課題】押しボタンスイッチを用いてエレベータを操作するエレベータ操作盤において、取り付けを容易にし押しボタン等の損傷を防止することである。【解決手段】エレベータを操作する操作盤１０は、カバープレート３０に押しボタンスイッチ４０が取り付けられる。押しボタンスイッチ４０のカバープレート３０から突き出る押ボタンの周囲は保護カバー５０で覆われる。弾性体からなる取付板６０の一方端は保護カバーに係止され、他方端は、てこ部７０を支点としてカバープレート３０の裏面側に引寄せられてカバープレート３０に固定される。このとき、保護カバー５０はカバープレート３０の操作面側に引き寄せられ押し付けられて取り付けられる。【選択図】図５
2006001671.tif 000002
【特許請求の範囲】
【請求項１】
エレベータを操作する押しボタンスイッチが配置される操作盤であって、
スイッチ本体と、スイッチ本体に対し出入りする押しボタンとを有する押しボタンスイッチと、
スイッチ本体をカバーし、押しボタンが押されていないときに押しボタンが突き出るボタン開口部を有するカバープレートと、
カバープレートのボタン開口部に合わせて配置され、押ボタンの出入り可能な隙間を残して押ボタンの周囲を覆いカバープレートの操作面側に押し当てられる保護カバーと、
カバープレートの裏面側に沿って配置され、一方端に保護カバーに係止する係止部を有し他方端にカバープレートの裏面側に固定される固定部を有し、弾性材からなる取付板と、
カバープレートの裏面側と取付板との間に挟んで設けられる突起状のてこ部であって、取付板の係止部と固定部との間の位置に配置され、取付板の一方端の係止部を保護カバーに係止し、他方端の固定部をカバープレートの裏面側に固定することで、一方端の保護カバーをカバープレートの操作面側に引き寄せて押し付けることができるてこ部と、
を備えることを特徴とするエレベータの操作盤。
【請求項２】
請求項１に記載のエレベータの操作盤において、
保護カバーは、引っ掛け溝を有し、
取付板の係止部は、保護カバーの引っ掛け溝に係止される形状を有していることを特徴とするエレベータの操作盤。
【請求項３】
請求項１に記載のエレベータの操作盤において、
保護カバーは、取付板に対する接続部を有し、
取付板の係止部と保護カバーの接続部とは、固定部材により固定されることを特徴とするエレベータの操作盤。
【発明の詳細な説明】
【技術分野】
【０００１】
本発明は、エレベータの操作盤に係り、特に押しボタンスイッチを用いてエレベータを操作するエレベータ操作盤に関する。
【背景技術】
【０００２】
エレベータを呼ぶためにエレベータの乗場には押しボタン等を用いた呼び操作盤が設置される。また、エレベータのかご室内には、ボタン等を用いて操作して行き先階を指定し、扉の開閉を指示する等のための操作盤が設けられる。
【０００３】
これらの操作盤においては、押しボタンや接触検知式のボタン等が用いられる。押しボタンを用いるものは、押し操作のストロークを要するので、押しボタンの頭面部分が操作盤より突き出ていることがある。このような場合、利用客の手荷物等の運搬物が引っかかり、あるいはライターで焼損する等の故意のいたずらにより、押しボタン部分が破損し、場合によっては操作盤自体にも損傷が及ぶことあがる。
【０００４】
押しボタンや操作盤が損傷を受けると、エレベータの操作にも支障が生じ、また外観上も好ましくないので、メンテナンスや交換等に時間や費用を要する。そこで、特許文献１には、従来技術として、操作盤の表面に押しボタンの頭面が飛び出さないようにする構成が述べられている。この場合は、操作盤のフェースプレートとして板厚の厚い金属板を用い、この金属板に貫通穴を設け、貫通穴を介して押しボタンスイッチを押すようにするもので、厚い金属板の厚み分だけ押しボタンの頭面が内部に引っ込むことになる。特許文献１では、この場合でも、貫通穴を通してのいたずら等を防止できないことがあるとして、さらに化粧用カバーを設けることが開示される。この化粧用カバーは、ホーロー材が塗布されており、押しボタン部分は開口であるがそこにも押しボタンの操作用の点滅光が見えるように光透過用孔が設けられるカバーが装着される。
【０００５】
また、特許文献２には、操作盤の表面に押しボタンの頭面が飛び出さないようにする構成として、操作盤のカバープレートの裏面側に調節体を介して別のプレートを設け、この別のプレートに押しボタンスイッチを配設置することが開示されている。
【０００６】
【特許文献１】特開２００１−６３９２８号公報
【特許文献２】実開平５−２６９７６号公報
【発明の開示】
【発明が解決しようとする課題】
【０００７】
エレベータの操作盤に用いられるスイッチとしては、接触型のスイッチも用いられるが、押しボタン型のスイッチも多く用いられる。また、押しボタン型のスイッチにも、ストロークが１〜２ｍｍ程度と短いものも用いられるが、ストロークが５〜６ｍｍ程度の長いものも用いられる。例えば、乗場の呼びボタン等には、ストロークが大きい押しボタンタイプのものがよく用いられている。
【０００８】
ストロークの大きい押しボタンスイッチを操作盤に用いるときは、そのままでは押しボタンの頭面が操作盤からかなり飛び出す。このときの損傷防止として、特許文献１の従来技術で述べられている板厚の厚い金属板を用い、貫通穴から押しボタンを操作するのでは、穴の中にかなり押し込まなくてはならず操作しにくい。また、特許文献１に開示されている化粧用カバーと光透過孔を有する押しボタンカバーとの組合せは、構成が複雑の上に、押しボタンに動作表示光が設けられているもののみに適用が限られてしまう。また、特許文献２に開示される調節体と別のプレートを用いるものは、押しボタンスイッチの保守等のときに、操作盤からカバープレートを外し、ついで別のプレートをカバープレートから外す等のように分解組立が面倒で手間を要する。また、見た目にも凹凸のアクセントがなく、意匠の価値が低い。
【０００９】
本発明の目的は、押しボタンスイッチを用いてエレベータを操作するエレベータ操作盤において、取り付けが容易で、押しボタン等の損傷を防止することができるエレベータ操作盤を提供することである。
【課題を解決するための手段】
【００１０】
本発明に係るエレベータの操作盤は、エレベータを操作する押しボタンスイッチが配置される操作盤であって、スイッチ本体と、スイッチ本体に対し出入りする押しボタンとを有する押しボタンスイッチと、スイッチ本体をカバーし、押しボタンが押されていないときに押しボタンが突き出るボタン開口部を有するカバープレートと、カバープレートのボタン開口部に合わせて配置され、押ボタンの出入り可能な隙間を残して押ボタンの周囲を覆いカバープレートの操作面側に押し当てられる保護カバーと、カバープレートの裏面側に沿って配置され、一方端に保護カバーに係止する係止部を有し他方端にカバープレートの裏面側に固定される固定部を有し、弾性材からなる取付板と、カバープレートの裏面側と取付板との間に挟んで設けられる突起状のてこ部であって、取付板の係止部と固定部との間の位置に配置され、取付板の一方端の係止部を保護カバーに係止し、他方端の固定部をカバープレートの裏面側に固定することで、一方端の保護カバーをカバープレートの操作面側に引き寄せて押し付けることができるてこ部と、を備えることを特徴とする。
【００１１】
また、保護カバーは、引っ掛け溝を有し、取付板の係止部は、保護カバーの引っ掛け溝に係止される形状を有していることが好ましい。
【００１２】
また、保護カバーは、取付板に対する接続部を有し、取付板の係止部と保護カバーの接続部とは、固定部材により固定されることが好ましい。
【発明の効果】
【００１３】
上記構成により、カバープレートのボタン開口部に合わせて配置され、押ボタンの出入り可能な隙間を残して押ボタンの周囲を覆いカバープレートの操作面側に押し当てられる保護カバーが設けられる。そして、押しボタンが押されていないときにカバープレートから突き出る押しボタンの周囲が覆われる。したがって、利用客の手荷物が引っ掛かり、あるいはいたずら等による、押しボタン等の損傷を防止することができる。
【００１４】
また、保護カバーと取付板の一方端とは係止され、取付板の他方端は、てこ部を介してカバープレートに固定される。つまり、取付板の一方端を保護カバーに係止し、その他方端をてこ部を介してカバープレートに引き寄せて固定する簡単な作業で、保護カバーをカバープレートに固定できる。したがって、簡単な構成と作業で、容易に保護カバーの取り付けができ、押しボタン等の損傷を防止することができる。ここで、係止には、引っ掛けによる係止及び固定手段による接続を含む。
【００１５】
保護カバーをカバープレートに取り付けるには、例えば直接ネジ止めすることが考えられる。しかし、ネジ止めでしっかり固定を行うには、適当なネジのかみあう山と谷の数が必要で、例えば８山のかみあいが必要とすると、カバープレートの厚みや保護カバーの厚みがかなり厚くなり、保護カバーの見栄えが悪く、また押しボタンスイッチの操作性が良くない。保護カバーの見栄えのために保護カバーに斜面取り等を行うと、実際上、保護カバーとカバープレートとの直接ネジ止めは困難なことが多い。保護カバーに引っ掛け溝を設けることで、この引っ掛け溝に取付板の係止部を引っ掛けて係止できる。したがって、カバープレートと保護カバーとの間の直接ネジ止め等を要せず、簡単な作業で、保護カバーをカバープレートに固定できる。
【００１６】
また、保護カバーの接続部を用いて取付板の係止部を固定部材により固定する。これにより、保護カバーと取付板とをしっかり接続して保護カバーをカバープレートに固定できる。
【発明を実施するための最良の形態】
【００１７】
以下に図面を用いて本発明の実施の形態につき詳細に説明する。以下では、エレベータの操作盤として、乗場においてエレベータを呼ぶ操作を行うものを取上げるが、押しボタンが押されていないときにカバープレートから突き出る押しボタンを用いるものであれば、エレベータのかご室内に設けられる操作盤であってもよい。また、押しボタンスイッチは、押しボタンのストロークが５〜６ｍｍ程度のものとして説明するが、ストロークの数値は説明のための１例にすぎず、これ以外のストロークであってもよい。
【００１８】
図１は、エレベータを呼ぶために乗場に設けられる操作盤１０の外観図である。操作盤１０は、乗場の壁８にくぼみを設けた収納部２０を覆うカバープレート３０が止めネジ１４で取り付けられる外観を有する。カバープレート３０には、押しボタンスイッチ４０の頭面が突き出して設けられ、その周囲は保護カバー５０で覆われている。乗場の利用客は、押しボタンスイッチ４０の頭部を押すことで、エレベータをその階に呼ぶことができる。
【００１９】
図２は、操作盤１０の内部構成を示すために、乗場の壁８からカバープレート３０を外し、操作盤１０を構成する要素をバラバラにした分解斜視図である。操作盤１０は、乗場の壁８に設けられる収納部２０と、収納部２０内部に納められる押しボタンスイッチ４０と、押しボタンスイッチ４０が取り付けられるカバープレート３０と、押しボタンスイッチ４０の頭面を覆うための保護カバー５０と、保護カバー５０をカバープレート３０に取り付けるための取付板６０等から構成される。
【００２０】
まず、乗場の壁８には収納部２０が設けられる。収納部２０は、乗場の壁８に設けられるくぼみで、その内壁に支持板２２が設けられる。支持板２２は、カバープレート３０を収納部２０の開口を覆うように乗場の壁８に対し支持して取り付けるための棚板である。例えば、アングル材を収納部２０の内壁に適当な固定手段で固定することで支持板２２を設けることができる。支持板２２には、カバープレート３０を止める止めネジ１４に対応するネジ穴２４が設けられる。
【００２１】
押しボタンスイッチ４０は、スイッチが内蔵されているスイッチ本体４２と、押し操作によりスイッチをオン・オフさせる押しボタン４４とを有するスイッチである。押しボタン４４は、スイッチ本体４２に対し、例えば５〜６ｍｍ程度のストロークで出入りでき、このストロークの範囲でスイッチをオン・オフさせることができる。スイッチ本体４２には、押しボタン４４を自然状態ではスイッチ本体４２より突き出ているものとするバネ等の付勢手段が設けられる。例えば、押しボタン４４がスイッチ本体４２に対し突き出している状態でスイッチをオフとし、押しボタン４４をストロークの６０％程度押したときにスイッチをオンとするようにできる。スイッチのオン・オフ信号は、図示されていない信号線により、エレベータの制御部に送られ所定のエレベータ操作が行われる。
【００２２】
押しボタン４４は、図２に示すように矩形の平面形状を有する。勿論円形の平面形状を有してもよい。以下では、矩形平面形状のボタンとして、これに対応してカバープレート３０の開口３２、保護カバー５０の開口５２も矩形形状とする。押しボタン４４には、図２に示されるように、上りエレベータを呼ぶのか、下りエレベータを呼ぶのかの区別を示すマークを付すものとしてもよい。また、スイッチ本体４２には、張出部が設けられ、そこに、押しボタンスイッチ４０をカバープレート３０に取り付けるための取付穴４６が設けられる。かかる押しボタンスイッチ４０は、例えばＨＢＮ型スイッチとしてエレベータ業界で知られているものを用いることができる。
【００２３】
カバープレート３０は、収納部２０に押しボタンスイッチ４０を収納し、押しボタンスイッチ４０のスイッチ本体４２が見えないように覆いながら、その操作部である押しボタン４４を利用者に押させることができるようにするための収納部覆いカバーである。したがって、板材を用い、その中央部に押しボタン４４の出入り可能な開口３２を設けたものを用いることができる。開口３２の大きさは、保護カバー５０をカバープレート３０に取り付けるための取付板６０を受け入れるため、押しボタン４４の外周よりやや大きめに設定される。
【００２４】
カバープレート３０に設けられる取付穴３６は、収納部２０のネジ穴２４に対応して配置される穴で、止めネジ１４は、この取付穴３６を通り、収納部２０のネジ穴２４にねじ込まれる。また、カバープレート３０の裏面側に溶接等の固定方法で取り付けられるネジ３４は、押しボタンスイッチ４０の取付穴４６に対応して設けられ、押しボタンスイッチ４０をカバープレート３０に固定するために用いられる。すなわち、ネジ３４は押しボタンスイッチ４０の取付穴４６を通り、スイッチ本体４２の張出部の反対側で図示されていないナットを用いて押しボタンスイッチ４０をカバープレート３０にしっかりと固定することができる。かかるカバープレート３０は、例えば板厚が１〜３ｍｍ程度の金属板又はプラスチック板に所定の加工と適当な化粧仕上げを施して得ることができる。
【００２５】
保護カバー５０は、カバープレート３０から自然状態では突き出る押しボタン４４の周囲を覆う機能を有する部材である。また、取付板６０は、保護カバー５０をカバープレート３０に取り付ける機能を有する部材である。また、てこ部７０は、取付板６０を用いて保護カバー５０をカバープレート３０に取り付ける際に、てこの支点として用いる部材である。これらの内容及び作用については、図３から図５を用いて説明する。
【００２６】
保護カバー５０の平面図及び側面断面図を図３に示す。保護カバー５０は、頂部が切り取られた略４角錐の形状で、中央に押しボタン４４の外周の大きさとほぼ同じ大きさで押しボタン４４が出入り可能な隙間を有する開口５２を有する部材である。頂部が切り取られた４角錐の形状は、保護カバー５０に対し利用客の手荷物等が引っかからない程度の傾斜を有することが好ましいことと、美観の点等から定めることができる。頂部が切り取られた４角錐形状でなくても、適当な傾斜を有する頂部が切り取られた円錐形状、あるいはこれらを組合せた複合形状であってもよい。かかる保護カバー５０は、適当な金属材料を加工し、又は耐熱性や剛性等の十分あるプラスチック材料を成形加工し、適当な化粧仕上げを行ったものを用いることができる。
【００２７】
保護カバーの高さは、押しボタンスイッチ４０をカバープレート３０の裏面側に取り付けたときの押しボタン４４の自然状態の頭面がカバープレート３０から飛び出す高さより若干高めが好ましい。例えば、押しボタン４４が自然状態でスイッチ本体４２の取付面から５ｍｍ突き出ており、カバープレート３０の板厚を１．５ｍｍとすれば、５ｍｍ−１．５ｍｍ＝３．５ｍｍが押しボタン４４の頭面がカバープレート３０から突き出る高さなので、保護カバー５０の厚みは、３．５ｍｍより若干厚めにすることが好ましい。
【００２８】
保護カバー５０の開口５２の内壁部から、保護カバー５０の底面部に向かって設けられる引っ掛け溝５４は、ここに取付板６０の一端部を引っ掛けて係止するための係止部の機能を有するものである。したがって、その形状は、取付板６０の一方端の形状に対応して決められる。例えば、図４に示すように、取付板６０の一方端６４の形状が直角に２度曲げられた階段状曲げ形であるときは、引っ掛け溝５４も、図３に示すように直角に曲げられる溝の形状にすることが好ましい。
【００２９】
図３の保護カバー５０に対応する取付板６０の平面図と側面図を図４に示す。なお、てこ部７０と保護カバー５０の一部も、相互配置関係を示すために重ねて図示してある。取付板６０は、金属等の弾性材料で構成される細長い板材で、一方端は保護カバー５０に係止され、他方端はカバープレート３０に固定されることで、保護カバー５０をカバープレート３０に取り付ける機能を有する部材である。一方端６４の形状は、上記のように直角に２度曲げられた階段曲げ形状で、この部分が保護カバー５０の引っ掛け溝５４に挿入でき、引っ掛け溝５４の直角形状によって、取付板６０の一方端６４が保護カバー５０に係止されることになる。
【００３０】
取付板６０の他端部に設けられる取付穴６２は、カバープレート３０の取付穴３６と収納部２０のネジ穴２４に対応して設けられ、取付板６０をカバープレート３０とともに止めネジ１４によって支持板２２に固定するための穴である。
【００３１】
このように、取付板６０の一方端６４を保護カバー５０に係止し、他方端の取付穴６２を用いてカバープレート３０の裏側に固定することで、保護カバー５０をカバープレート３０に対し取り付けることができる。しかし、取付板６０の一方端６４が引っ掛け溝５４に引っ掛けるためには若干の遊びが必要で、その遊びのために、そのままでは保護カバー５０とカバープレート３０との間の取り付けはゆるいものとなる。てこ部７０は、この遊びをなくし、保護カバー５０をカバープレート３０の操作面側にしっかりと押し付ける機能を有する。
【００３２】
てこ部７０は、カバープレート３０と取付板６０との間に挟んで設けられ、その配置は、図４に示すように、取付板６０の一方端６４と、他方端の取付穴６２との間に設定される。このようにてこ部７０を配置し、図４の矢印方向に取付板６０を引き寄せることで、取付板６０の両端がてこ部７０を支点として、てこの作用を行う。つまりてこ部７０を固定位置とし、一方端６４を保護カバー５０の引っ掛け溝５４に係止し、他方端を図４に示す矢印方向に引き寄せると、一方端６４は矢印と反対側に引き寄せられる。すなわち、取付板６０の他方端の取付穴６２をカバープレート３０の裏面側に引き寄せると、取付板６０の一方端６４及びこれに係止されている保護カバー５０は、てこ部７０を支点として、カバープレート３０の表側、すなわち操作面側に押し付けられる。こうして、取付板６０の一方端６４と保護カバー５０の引っ掛け溝５４との間の遊びが一方側に片寄せられ、保護カバー５０がしっかりとカバープレート３０の操作面側に押し付けられる。
【００３３】
図５（ａ）は、このようにして保護カバー５０がしっかりとカバープレート３０の操作面側に押し付けられて取り付けられる状態を示す操作盤１０の断面図である。なお、図５（ａ）では、押しボタンスイッチ４０は破線で示してある。取付板６０は、保護カバー５０における矩形開口の向かい合う２辺のそれぞれに設けられる引っ掛け溝にそれぞれの一方端が係止されて２つ用いられる。勿論、保護カバー５０の矩形開口の４辺のそれぞれに引っ掛け溝を設け、４つの取付板６０を用いるものとしてもよい。
【００３４】
各取付板６０は、それぞれてこ部７０を支点として、それぞれの他方端が矢印方向、すなわちカバープレート３０の裏面側に引き寄せるようにして、カバープレート３０と支持板２２との間に挟まれ止めネジ１４でしっかりと固定される。このとき、上記のように、各取付板６０の一方端は保護カバー５０の開口の２辺の引っ掛け溝にそれぞれ係止されながら、矢印と逆方向に引き寄せられ、保護カバー５０をカバープレート３０の操作面側に押し付ける。
【００３５】
図５（ｂ）は、カバープレート３０の裏面側から見た開口５２と引っ掛け溝５４と、取付板６０の配置関係を示す図である。ここでは支持板２２の図示を省略してある。このように、取付板６０の一方端は、引っ掛け溝５４の中に挿入され、係止される。
【００３６】
なお、図５（ｂ）には、押しボタンスイッチ４０の取付穴に対応するネジ３４が図示されている。このようにカバープレート３０の裏面に溶接等で設けられるネジ３４は、押しボタンスイッチ４０の取付穴に通され、図示されていないナットを用いて、押しボタンスイッチ４０をカバープレート３０の裏面にしっかりと固定する。また、図５（ａ）において、収納部２０に設けられる外部への穴２６は、押しボタンスイッチ４０の信号線を図示されていないエレベータの制御部に接続するための通し穴である。
【００３７】
このようにして、カバープレート３０より突き出る押しボタン４４の周囲を保護カバー５０で覆い、保護カバー５０の取り付けは、てこ部７０を用いて保護カバー５０に一方端が係止された取付板６０の他方端をカバープレート３０の裏面側に固定することで、保護カバー５０をカバープレート３０の操作面側に押し付けて行うことができる。すなわち、ネジ止め等を伴わず、簡単な構成と作業で、保護カバー５０を取り付けることができる。
【００３８】
図６から図８は、保護カバーと取付板との引っ掛けについて別の形態の例を示す図である。図１から図５と同様の要素については同一の符号を付し、詳細な説明を省略する。図６は、保護カバー８０の平面図及び側面断面図であり、図７は、取付板９０の平面図と側面図である。なお、図７には、てこ部７０と保護カバー８０の一部も、相互配置関係を示すために重ねて図示してある。
【００３９】
保護カバー８０の開口５２の内壁部から、保護カバー８０の底面部に向かって設けられる引っ掛け溝８２は、ここに取付板６０の一端部を引っ掛けて係止するための係止部の機能を有するものであるが、その形状は、取付板６０の一方端の形状が鉤型であるのに対応し、鉤を引っ掛けやすい段差形状となっている。
【００４０】
図８は、この保護カバー８０と取付板９０を用いるときの操作盤１００の断面図である。なお、押しボタンスイッチ４０は破線で示してある。取付板９０は、保護カバー８０における鉤型の引っ掛け溝に一方端が係止される。そして、取付板９０は、てこ部７０を支点として、他方端が矢印方向、すなわちカバープレート３０の裏面側に引き寄せるようにして、カバープレート３０と支持板２２との間に挟まれ止めネジ１４でしっかりと固定される。このとき、取付板９０の一方端は保護カバー８０の引っ掛け溝に係止されながら、矢印と逆方向に引き寄せられ、保護カバー８０をカバープレート３０の操作面側に押し付ける。
【００４１】
このようにして、保護カバーと取付板との引っ掛けの形態が異なっても、保護カバーをカバープレートに対し、簡単な作業で取り付けることができる。
【００４２】
図９から図１１は、保護カバーと取付板とをネジ止めで接続固定する形態の例を示す図である。図１から図５と同様の要素については同一の符号を付し、詳細な説明を省略する。図９は、保護カバー１１０の斜視図であり、図１０は、取付板９０の平面図と側面図である。なお、図９には、てこ部７０と保護カバー８０の一部も、相互配置関係を示すために重ねて図示してある。図１１（ａ）は、保護カバー１１０と取付板１２０をネジ１３０で接続したときのカバープレート３０、てこ部７０との関係を示す断面図で、図１１（ｂ）は、カバープレート３０の裏面側から見た様子を示す図である。なお、図１１（ａ），（ｂ）には、取付板１２０は一方側のみ保護カバー１１０と接続している状態が示されている。
【００４３】
保護カバー１１０は、底面側に張出部１１４を有し、そこに取付穴１１６が設けられている。取付穴１１６は、取付板１２０をネジ止め接続により係止するものである。取付板１２０の一方端には、ネジ穴１２２が設けられる。そして、図１１（ａ），（ｂ）に示されるように、ネジ１３０が保護カバー１１０の取付穴１１６を通って取付板１２０のネジ穴１２２にねじ込まれ、保護カバー１１０の底面側の張出部１１４と取付板１２０とが接続される。そして、取付板１２０は、てこ部７０を支点として、他方端が矢印方向、すなわちカバープレート３０の裏面側に引き寄せる。こうして、図５、図８で説明したと同様にして、保護カバー１１０はカバープレート３０の操作面側に押し付けられる。
【００４４】
このように、保護カバーと取付板とをネジ止め等の固定手段により接続する方法によっても、保護カバーをカバープレートに対し、簡単な作業で取り付けることができる。
【図面の簡単な説明】
【００４５】
【図１】本発明に係る実施の形態における操作盤の外観図である。
【図２】本発明に係る実施の形態における操作盤の内部構成を示す分解斜視図である。
【図３】本発明に係る実施の形態における保護カバーの平面図及び側面断面図である。
【図４】本発明に係る実施の形態における取付板の平面図と側面図である。
【図５】本発明に係る実施の形態における操作盤の断面図、及びカバープレートの裏面側から見た配置関係を示す図である。
【図６】他の実施の形態における保護カバーの平面図及び側面断面図である。
【図７】他の実施の形態における取付板の平面図と側面図である。
【図８】他の実施の形態における操作盤の断面図である。
【図９】別の実施の形態における保護カバーの斜視図である。図１１（ａ）は、保護カバー１１０と取付板１２０をネジ１３０で接続したときのカバープレート３０、てこ部７０との関係を示す断面図で、図１１（ｂ）は、カバープレート３０の裏面側から見た様子を示す図である。なお、図１１（ａ），（ｂ）には、取付板１２０は一方側のみ保護カバー１１０と接続している状態が示されている。
【図１０】別の実施の形態における取付板の平面図と側面図である。
【図１１】別の実施の形態における保護カバーと取付板を接続したときのカバープレート、てこ部との関係を示す断面図、及びカバープレートの裏面側から見た様子を示す図である。
【符号の説明】
【００４６】
８  乗場の壁、１０，１００  エレベータの操作盤、１４  止めネジ、２０  収納部、２２  支持板、２４，１２２  ネジ穴、２６  穴、３０  カバープレート、３２，５２  開口、３４，１３０  ネジ、３６，４６，６２，１１６  取付穴、４０  押しボタンスイッチ、４２  スイッチ本体、４４  押しボタン、５０，８０，１１０  保護カバー、５４，８２  引っ掛け溝、６０，９０，１２０  取付板、６４  一方端、７０  てこ部、１１４  張出部。
【図１】
2006001671.tif 000003
【図２】
2006001671.tif 000004
【図３】
2006001671.tif 000005
【図４】
2006001671.tif 000006
【図５】
2006001671.tif 000007
【図６】
2006001671.tif 000008
【図７】
2006001671.tif 000009
【図８】
2006001671.tif 000010
【図９】
2006001671.tif 000011
【図１０】
2006001671.tif 000012
【図１１】
2006001671.tif 000013